(57)【要約】  インクジェット装置は、水冷式シャシー（１００）の平行な熱管理面（５０ａ、５０ｂ）に背面合わせに配置された２つの圧電アクチュエータ（１０６、１０８）を有する。シャシーは、熱伝導率の高い２つの凹状プラスチック成形部品（１０２、１０４）を合わせることによって形成される。２つのアクチュエータに取り付けられた共通のノズル（１１２）プレートは、正確なノズル整合を保証する助けとなる。
2007524534.tif 000002
【特許請求の範囲】
【請求項１】
シャシーと、少なくとも第１および第２作動手段と、を備え、各作動手段は電気的に作動可能な液滴噴出アクチュエータおよびそのアクチュエータに動作信号を与えるための電気的駆動回路を備える液滴付着装置であって、
前記シャシーは、
２つの平行な、対向する熱管理面と、
前記熱管理面の間に位置する内部流体キャビティで前記キャビティ内の流体が前記熱管理面と熱接触を確立するキャビティと、
前記シャシーの外側に配置され且つ前記内部キャビティと連通して流体を前記内部キャビティに供給し且つ循環させる流体ポートと、を備え、
前記第１および第２作動手段はそれぞれ前記２つの熱管理面に取り付けられる液滴付着装置。
【請求項２】
各作動手段の前記アクチュエータおよび前記駆動回路は双方とも、関係する熱管理面と熱接触状態にある、請求項１に記載の装置。
【請求項３】
各アクチュエータは、関係する熱管理面に熱接触状態で取り付けられる圧電材料の本体を備える、請求項１または請求項２に記載の装置。
【請求項４】
圧電材料の各本体は一連の液滴噴出溝を画成し、
前記装置は前記熱管理面に直交な平面に配置され且つ前記第１作動手段の液滴噴出溝の第１組のノズル群と前記第２作動手段の液滴噴出溝の第２組のノズル群とを画成することによって第１組および第２組のノズル群の相互整合が第１および第２作動手段の相互整合と無関係とされる共通ノズルプレートを備える、請求項３に記載の装置。
【請求項５】
前記シャシーは、熱伝導率が１．２Ｗ／ｍＫより大きい材料により形成される、請求項１から請求項４までのいずれか１項に記載の装置。
【請求項６】
前記シャシーは、熱伝導性プラスチックにより形成される、請求項１から請求項５までのいずれか１項に記載の装置。
【請求項７】
前記シャシーは第１および第２の概ね凹状のシャシー部品から形成され、
各シャシー部品は熱管理面部品の１つを画成し、かつ前記シャシー部品を組み合わせて前記内部キャビティが形成される、請求項１から請求項６までのいずれか１項に記載の装置。
【請求項８】
前記シャシー部品は成形により形成される、請求項７に記載の装置。
【請求項９】
前記熱管理面は、前記シャシー部品の組合せ後に機械加工されて相互整合される、請求項８に記載の装置。
【請求項１０】
前記内部キャビティは分離手段を備え、
これにより、前記内部キャビティが、前記アクチュエータの熱管理をする第１溝と前記電気的駆動回路の熱管理をする第２溝とに分けられる、請求項１から請求項９までのいずれか１項に記載の装置。
【請求項１１】
前記第２溝の容積は前記第１溝より大きい、請求項１０に記載の装置。
【請求項１２】
シャシーと、少なくとも第１および第２液滴噴出アクチュエータとを備える液滴付着装置の製造方法であって、前記方法は、
第１および第２の平行な、対向する熱管理面と、前記熱管理面の間に位置する内部流体キャビティを有するシャシーを形成する段階と、
前記第１および第２液滴噴出アクチュエータをそれぞれ前記第１および第２熱管理面に取り付け、それによって前記キャビティ内の流体が両アクチュエータと熱接触を確立する段階と、
前記熱管理面に直交な平面に配置され且つ前記アクチュエータの第１組のノズル群と前記第２アクチュエータの第２組のノズル群とを画成することによって第１組および第２組のノズル群の相互整合が第１および第２アクチュエータの相互整合と無関係とされる共通ノズルプレートを設ける段階と、から成る方法。
【請求項１３】
前記第１および第２液滴噴出アクチュエータをそれぞれ前記第１および第２熱管理面に取り付けることによって、前記装置における前記第１および第２アクチュエータの相互整合を確保する働きをする、請求項１２に記載の方法。
【請求項１４】
各アクチュエータは、関係する熱管理面に熱接触状態で取り付けられる圧電材料の本体を備える、請求項１２または請求項１３に記載の方法。
【請求項１５】
前記シャシーは、熱伝導性プラスチックにより形成される、請求項１２から請求項１４までのいずれか１項に記載の方法。
【請求項１６】
前記シャシーは第１および第２の概ね凹状のシャシー部品から形成され、
各シャシー部品は熱管理面部品の１つを画成し、且つ前記シャシー部品を組み合わせて前記内部キャビティが形成される、請求項１２から請求項１５までのいずれか１項に記載の方法。
【請求項１７】
前記シャシー部品は成形により形成される、請求項１６に記載の方法。
【請求項１８】
前記熱管理面は前記シャシー部品の組合せ後に機械加工されて相互整合される、請求項１７に記載の方法。
【発明の詳細な説明】
【技術分野】
【０００１】
本発明は、液滴付着装置に関し、特にドロップオンデマンドインクジェット印刷装置に関する。
【背景技術】
【０００２】
インクジェット印刷の分野においては、画質はドット毎インチ(dpi)で測定されることが多く、ドット数が大きいほど画像が良いとされる。これは一般的目安ではあるが、必ずしも全ての場合に当てはまるものではない。例えば、ドットのサイズによってドット間の間隔が狭くなる場合には、画質は向上しないであろう。現に、そういう状況においては、過剰のインキの付着によって、泣出し(bleeding)、カクリング(cockling)、裏抜け(strikethrough)を生起して画質が下がることがあろう。
【０００３】
市販のインクジェットプリンタの大半は、１つのドットサイズのインキ付着を可能とされる。しかし、人間の眼によって知覚される画像の質は、１つのサイズの液滴よりも様々なサイズの液滴を付着させることによって向上される。様々なサイズの液滴を付着させる技法は、当業界ではグレースケールとして知られている。
【０００４】
１５の様々な液滴サイズを解像度３６０ｄｐｉで印刷可能なプリントヘッドは、人間の眼には、同じ画像を二値方式で７２０ｄｐｉ或いはさらに１４４０ｄｐｉで印刷した場合より質が良く見える画像を生成することが可能とされる。
【０００５】
その高ｄｐｉ画像は、プリントヘッドを下地の上で繰返し通過させることによって生成しなければならない。通過の度に付着されたドットは、前に印刷されたドットに挟み合わされる。各通過を終えるのに一定時間が掛かるため、画像の印刷に要する時間は通過の数に比例して増加する。
【０００６】
一定のプリントヘッド構造は、画像を３６０ｄｐｉで印刷することが可能とされる。そのようなプリントヘッドは、従来技術文献に例示されている（例えば、特許文献１参照）。固有密度を約１８０ｄｐｉとする２つのアクチュエータがオフセット構成の下地の両側に取り付けられ、固有解像度を３６０ｄｐｉとするプリントヘッドが得られる。そのようなプリントヘッドは、一般に「背面合わせ(back to back)」アクチュエータとして知られている。
【特許文献１】特開平４−２５９５６３号公報
【０００７】
アクチュエータを重ね合わせてより高解像度のプリントヘッドを形成することが容易かどうかは、アクチュエータの固有解像度次第による。１８０ｄｐｉでは、液滴は紙に１４０μｍ毎に付着され、３６０ｄｐｉでは液滴は７０μｍ毎に付着される。３６０ｄｐｉの画像を付着させるために重ねられた２つの１８０ｄｐｉアクチュエータは、液滴が規則的且つ一様に７０μｍ間隔で付着されるよう保証しなければならない。液滴が正確に整列されないと、画像の質に欠陥が生じる。例えば、画像エラーに薄暗い帯が見えるのは、一般にバンディング(banding)として知られている。しかし、最適の間隔からいずれかに僅かな許容差は受容可能とされ、画像の質に視認可能な影響は及ぼさない。その許容差は、一般に３６０ｄｐｉヘッドにおいて＋／−１５μｍとされる。
【０００８】
２つの３６０ｄｐｉアクチュエータを重ね合わせることによって７２０ｄｐｉ画像を与える場合には、噴出された液滴がそれぞれ３５μｍ台の規則的な間隔で配置されなければならない。この配列では、間隔の許容差は約＋／−７μｍに下がる。
【０００９】
アクチュエータが取り付けられる基板をスリムにすることを保証することによって整合は簡潔化される。基板が厚いと２つのアクチュエータの分離が拡大し、一方のアクチュエータと他方との心合わせ誤差が大きくなる可能性がある。
【００１０】
背面合わせアクチュエータの重要な問題は、熱管理問題とされる。アクチュエータおよび集積回路はプリントヘッドの作動中に熱を生成し、集積回路は圧電プリントヘッドにおける熱生成の主要な原因とされる。抵抗加熱によりバブルを発生させるプリントヘッドの主な熱生成源は、抵抗要素自体とされる。
【００１１】
特に圧電プリントヘッドに関しては、一般に使用される材料ＰＺＴは熱伝導が悪く、且つ熱膨張差により容易に亀裂および損傷の虞がある。
【００１２】
また、作動中にプリントヘッドの温度を定温に保つことにより、例えば温度変動によりインキの粘性に変化を来す等の温度による印刷の欠陥を回避することも重要とされる。
【００１３】
１列プリントヘッドを使用の場合には、アクチュエータの支持盤の厚さに制限はない。したがって、アクチュエータ要素から熱を吸収し除去するのに十分な大きさに構成することによって、温度変化を最小限にすることが可能とされる。
【発明の開示】
【発明が解決しようとする課題】
【００１４】
背面合わせ構築においては、アクチュエータおよびチップの数が倍加し、１列プリントヘッドの場合より熱生成が倍増する。上述の通り、支持材の厚さを最小限にして製造の助けとすることが望ましい。しかし、支持材の厚さを減らせば、アクチュエータから熱を伝達除去するのに利用可能な材料の嵩が減少する。
【００１５】
本発明は、この問題および他の問題に取り組もうとするものである。
【課題を解決するための手段】
【００１６】
したがって、本発明の１つの態様によれば、シャシーと、少なくとも第１および第２作動手段とを備え、各作動手段は電気的に作動可能な液滴噴出アクチュエータおよびそのアクチュエータに動作信号を与えるための電気的駆動回路を備える液滴付着装置であって、前記シャシーは、２つの平行な、対向する熱管理面と、前記熱管理面の間に位置する内部流体キャビティで前記キャビティ内の流体が前記熱管理面と熱接触を確立するキャビティと、前記シャシーの外側に配置され且つ前記内部キャビティと連通して流体を前記内部キャビティに供給し且つ循環させる流体ポートとを備え、前記第１および第２作動手段はそれぞれ前記２つの熱管理面に取り付けられる液滴付着装置が提供される。
【００１７】
各作動手段のアクチュエータおよび駆動回路は双方とも、関係する熱管理面と熱接触状態にあることが有利とされる。
【００１８】
各アクチュエータは、関係する熱管理面に熱接触状態で取り付けられる圧電材料の本体を備えるのが適切とされる。
【００１９】
シャシーは、熱伝達率の大きい材料により形成されるのが好ましい。特に好ましい材料は、熱伝導性プラスチックとされるが、金属等、他の材料も適切とされよう。
【００２０】
シャシーは複数部品により形成され、該部品の組合せによって内部キャビティを画成することが好ましい。複数部品は成形もしくは他の方法により形成することが可能とされ、アクチュエータが取り付けられる面は機械加工により所要の平坦度とするのが好ましい。該面は、複数部品を組み合わせた後に機械加工するのが好ましい。
【００２１】
内部キャビティは分離手段を備え、これにより、前記内部キャビティが、前記アクチュエータの熱管理をする第１溝と集積回路の熱管理をする第２溝とに分けられることが好ましい。分離手段は壁とすることが可能とされ、各溝の相対的寸法は、集積回路か或いはアクチュエータか、どちらがより大きい熱エネルギーを生成するかによって、どちらかに流体が適切に流れるように選択されることが好ましい。
【００２２】
流体は水が好ましいが、ガスもしくは別の液体でも適当であろう。流体の入口温度は一定に維持可能とされよう。
【００２３】
整合特徴部は、シャシーの外側面に形成もしくは設置可能とされ、それによってアクチュエータもしくはシャシーの取付の他の構成部分の整合が助成される。
【００２４】
取付面間の厚さは５ｍｍ未満とするのが好ましく、より好ましくは３ｍｍ未満、より一層好ましくは２ｍｍ台とされる。
【００２５】
別の態様においては、本発明は製造方法の改良を提案する。
【００２６】
したがって、本発明の別の態様は、シャシーと、少なくとも第１および第２液滴噴出アクチュエータとを備える液滴付着装置の製造方法にあり、その方法は、第１および第２の平行な、対向する熱管理面と、前記熱管理面の間に位置する内部流体キャビティを有するシャシーを形成する段階と、前記第１および第２液滴噴出アクチュエータをそれぞれ前記第１および第２熱管理面に取り付け、それによって前記キャビティ内の流体が両アクチュエータと熱接触を確立する段階と、前記熱管理面に直交な平面に配置され且つ前記アクチュエータの第１組のノズル群と前記第２アクチュエータの第２組のノズル群とを画成することによって第１組および第２組のノズル群の相互整合が第１および第２アクチュエータの相互整合と無関係とされる共通ノズルプレートを設ける段階と、から成る。
【００２７】
以下に本発明を概略図を参照して説明するが、もとより、単なる例示として説明するにすぎない。
【発明を実施するための最良の形態】
【００２８】
図１は、従来技術のプリントヘッドを示す。溝６は、矢印Ｐの方向に分極された圧電材料のシート２に形成される。溝同士を分ける壁には電極材料が与えられ、電極材料に電圧が印加されると壁に剪断偏向が生じる。それによって、溝内に含まれたインキに圧力波が生起し、圧力波がノズルプレート４に形成されたノズルに集中することにより液滴が噴出される。
【００２９】
アクチュエータの後方に、電気トラック１８を含む基板１６が設けられ、基板はさらにドライバチップ（図示せず）に接続される。トラックは、壁８、１０の電極に２０でワイヤボンディングされ、電気的接続が形成される。これに代わる実施形態においては、基板１６は溝付きコンポーネント１０の下に延在し、圧電材料のためのシャシーとして作用する。
【００３０】
溝の上部はカバープレート１２によって画定され、カバープレートのアパーチャ１４がインキマニホルドとして作用することにより、インキが溝に入ることが可能とされる。インキ内を音波が進む距離とされる溝の有効長さは、溝を閉じるカバープレートの部分の長さによって定まり、符号Ｌで示す。
【００３１】
インキマニホルド１４は、適切な方法によりインキ溜め（図示せず）に接続される。
【００３２】
ノズルプレート４は、アクチュエータの全面に取り付けられ、各溝に対して１つのノズル（図示せず）を含む。
【００３３】
このタイプのプリントヘッドからの液滴噴出機構は、従来技術の文献に十分に示されており、したがって、本出願においてはこれ以上詳説しない。
【００３４】
背面合わせアクチュエータは、図２に示す通り、従来技術において知られている。このアクチュエータは、圧電材料の層から形成される。層３０、３１および３５、３６は矢印Ｐにより示すように反対方向に分極され、張り合わされてシートを形成する。これらのシートは、中央支持材４０の対向側に接合される。溝６は、シート内に切られ、電極材料３８が分離壁の画成面に堆積される。溝は、カバー３２、３７によって閉じられる。
【００３５】
図３から７は、本発明による装置を示す。
【００３６】
一般に、本装置は、２つの凹状のプラスチック成形部品１０２および１０４の接合により形成されるシャシー１００を備える。シャシー１００は、その全体を図３に示し、その２つの部品を別々に図４および５に示す。シャシーは、２つの作動手段の熱管理面（以下にさらに説明する）として支持を与え、作動手段はそれぞれ圧電アクチュエータ１０６、１０８を関係する駆動回路（以下にさらに説明する）とともに備える。ノズル支持材１１０は、シャシーとノズルプレート１１２と両方に接合され且つノズルプレートの縁辺支持材となる形状および寸法に作られる。
【００３７】
次いでシャシー１００の詳細に関し、基板の前部側に、平行な取付面５０ａ、５０ｂがあり、取付面の平面に対して垂直方向に３ｍｍ台の間隔で離間されている。取付面間の間隔については、（一般に成形工程で予想されるより）一段きつい許容差が、取付面の一方または両方を機械的または化学的に機械加工して一層平坦な面を得る機械加工段階によって達成される。本発明により、シャシーの他の部分の機械加工を要することなく、取付面の機械加工が可能とされる。
【００３８】
各取付面は、長さ６８ｍｍ台、幅１４ｍｍ台、面積１０ｃｍ２台とされる。これらの寸法は、溝数約３５０、有効長さ１ｍｍ、１５通りの液滴サイズを発射可能な、シャーモード、共有壁圧電液滴付着装置を搭載するのに十分とされる。
【００３９】
取付面５０ａ、５０ｂに隣り合う第２の平坦部５２ａ、５２ｂは、駆動回路の保持に適した保持面を与える。集積回路をシャシーのこの面に直接接合するか、或いは中間プリント基板に取り付けることが可能とされよう。
【００４０】
ウイング５４は、シャシーの側部縁端に設けられ、基準機能およびプリントヘッドのプリンタ内への取付を可能とする特徴部とともに設けられる。ウイングは、製造中を通して視認可能とされ、完成されたヘッドにおいては、バーコードもしくはヘッドに関する情報を内蔵可能な他のマーキングデバイスを設けることが可能とされる。
【００４１】
ポート５６は、シャシーの後部に設けられ、冷却液、好ましくは水がシャシーの内部キャビティを介して循環されるのを可能とする。シャシーの大きな上下面５０、５２は、発熱構成要素の大半を冷却液により効率的に冷却可能とすることを保証する。
【００４２】
構成部分の材料は熱伝導性プラスチックとされ、Coolpoly（登録商標）として知られCoolpolymers, Inc.から市販のものが適切とされる。このプラスチックは、選択される材料次第により１．２Ｗ／ｍＫと２０Ｗ／ｍＫの間で優れた熱伝導率を表し、上述の外部特徴部および後述する内部特徴部の安価且つ迅速な製造を可能とする成形性を備える。一段と高い許容差を要する部分の機械加工性が成形によって達成可能とされることは長所である。電気絶縁性があり且つ例えば射出成形によって成形可能な熱伝導性ポリマーが入手可能とされる。それらは、液晶ポリマー、ポリフェニレンサルファイド、ポリアミド、およびポリブチレンテレフタレート等をベースとすることが可能とされる。
【００４３】
構成部分を個別に成形し結合することによって、２つの構成部分の整合を助勢する内部の特徴をシャシーに与え、液状シールを与え、且つ／もしくはシャシーを通る液体の所望の流路を保証することが可能とされる。成形と組合せによって、狭い内部溝を形成し、寸法が重要なシャシーの厚さを極小化することも可能とされる。
【００４４】
図４は、シャシーの第１構成部分１０２によって得られるシャシーの内部特徴部を示す。構成部分は、流体内蔵部６２の外周に延在する突条６０を備える。突条は、シャシーを形成し接着剤の助勢により液密シールを保証する第２構成部分１０４に設けられた溝と咬合する。さらに、突部６４は構成部分相互の整合を助勢する。
【００４５】
流体内蔵部内のバリア部６６は、アクチュエータ冷却溝６８をチップ冷却溝７０から分離する。これらの溝のそれぞれの相対的サイズ且つ、したがってこれらの溝をそれぞれ通る流体の流れの割合は、チップおよびアクチュエータの相対的熱生成の比率次第による。圧電プリントヘッドの場合は、本実施形態におけるように、生成熱の大半はチップから与えられるため、チップ冷却溝がアクチュエータ冷却溝より寸法が大きい。
【００４６】
図５は、シャシーの第２構成部分１０４を示す。第２構成部分は、第１構成部分１０２の突出部が形成されるところに第２構成部分では相補的な咬合溝６０ａ、６４ａが設けられることを除けば、第１構成部分と大凡同じである。
【００４７】
本発明による装置の製造方法について以下に説明する。
【００４８】
シャシー１００は、２つの成形部品１０２、１０４を上述のように接合することによって形成される。取付面５０ａおよび５０ｂは、機械加工することによって両面とも平坦、平行且つ正しい間隔を保つように保証することが可能とされる。次いで第１および第２圧電アクチュエータ１０６および１０８は、それぞれ取付面５０ａおよび５０ｂに接合される。シャシーには、整合を助ける基準面を設けることが可能とされる。圧電アクチュエータ１０６および１０８は、例えば、熱伝導性接着剤により取付面５０ａ、５０ｂに接合することが可能とされる。
【００４９】
ノズル支持材１１０は、平行な、細長アパーチャ１１４、１１６を有し、取付面５０ａ、５０ｂに対して直交配置される。アパーチャ１１４、１１６の間に位置するノズル支持材の条片区域１１８は、シャシーの前部端縁に当接する。それは、図７で最も明らかに分かる。アクチュエータ１０６および１０８は、それぞれノズル支持材１１０のアパーチャ１１４および１１６から延び出るようにこのシャシー縁端に迫り出して位置付けられる。斯様に、支持材１１０は、アクチュエータ１０６および１０８の前部端縁とともに面一の面を与え、それにノズルプレート１１２が接合可能とされる。ノズル支持材１１０は、ノズルプレート１１２の縁全体の周囲を支持し、仮にノズルプレートを自己支持式とした場合に必要とされる材料より堅牢性の少ない材料でノズルプレート１１２を形成可能なことが理解されよう。
【００５０】
ノズルプレートが固定されたら、２組のノズル群１２０、１２２をレーザアブレーションプロセスで形成することが可能とされ、ノズルの一方の組１２０はアクチュエータ１０６のインキ溝に対応し、他方の組１２２はアクチュエータ１０８のインキ溝に対応する。これらの２組のノズル群は、アクチュエータの厚さおよびシャシー１００の２つの面５０ａ、５０ｂの離隔によって定まる量の分離隔されよう。そもそもノズルは、一方の組と他方の組の間で１ノズルピッチと半分ずれ、それによってアクチュエータ１０６の溝とアクチュエータ１０８の溝の間の相対的ずれが調整されることが理解されよう。
【００５１】
２組のノズル群を共通のノズルプレートに形成することによって、２組のノズル群の正確な相互整合が容易に確保される。その相互の整合は、２つのアクチュエータが同じ許容差で整合されることに依存しない。ノズルがそれと連通する溝の断面に対する位置に僅かな変化があっても問題はないことが判明している。図７で最もよく分かるように、この構成は各アクチュエータ１０６、１０８と内部シャシーキャビティの「アクチュエータ冷却」溝６８の間の熱伝導が良好である。
【００５２】
一般的な構成においては、本発明によるプリントヘッドは、図６に示すようにさらに幾つかの構成部分により完成される。インキフィルタモジュール６０２、６０４は、シャシー１００およびアクチュエータ１０６、１０８と係合して、インキ供給を管理する。適切なフィルタリングが行われる。プリント基板６０６、６０８は、集積回路６１０を担持し、シャシー１００の熱管理面５２ａおよび５２ｂとそれぞれ密接な熱接触状態にある。
【００５３】
上部カバー６１２および底カバー６１４は、概ね鏡像状態とされ、先述のインキ流路を封止する構成部分をサンドイッチ状に挟む。バックプレート６２０には、冷却液入口および出口（６２２のみ図示）と、インキ入口および出口（６２６と６２８の２つのみ図示）が設けられる。プリント基板６０６および６０４との電気的接続は、フレキシブルコネクタ６３０を介するのが好都合とされ、その接続にはスナップ嵌合蓋６５０を介してアクセス可能とされる。
【００５４】
以上に、本発明を一方の取付面に１つのアクチュエータを接合する例について説明したが、複数のアクチュエータ構成部分を両取付面に接合することも可能とされることは理解されよう。内部流体キャビティは、両アクチュエータと両駆動回路の間に延在し、且つこれらと熱的に連通するのが好ましい。しかし、幾つかの構成においては、キャビティは駆動回路間に延在すれば十分とされよう。
【００５５】
さらに別の変形においては、面５０ａおよび５０ｂに開口を設け、冷却流体と圧電材料の間の直接接触が可能とされる。
【００５６】
ノズルの組の相互整合がアクチュエータの相互整合に小さな誤差があっても影響を受けないという長所は、２組のノズル群を予め正確に形成したノズルプレートをシャシーおよびアクチュエータに接合することによっても達成可能とされる。
【００５７】
背面合わせ構成について以上に説明したが、前面対前面もしくは前後面合わせも一定の応用においては適切な代替構成となろう。
【００５８】
概略図、明細書本文もしくは特許請求範囲に記載の各特徴は、個別でも、或いは本書で述べた他の特徴と組み合わせても請求範囲に組み込むことが可能とされる。
【図面の簡単な説明】
【００５９】
【図１】一列の溝を有する従来技術の圧電プリンタを示す図である。
【図２】従来技術の背面合わせアクチュエータの断面図である。
【図３】本発明による装置のシャシー、２つのアクチュエータおよびノズルプレート構成の分解図である。
【図４】シャシーの第１構成部分により得られるシャシーの内部特徴を示す図である。
【図５】シャシーの第２構成部分により得られるシャシーの内部特徴を示す図である。
【図６】図３の構成部分とともに本発明による装置の残部構成部分を示す分解図である。
【図７】図６に示す装置の要部構成部分の相互関係を示す拡大断面図である。
【符号の説明】
【００６０】
５０ａ、５０ｂ  熱管理面
５２ａ、５２ｂ  平坦部
５４  ウイング
５６  ポート
６０  突条
６０ａ、６４ａ  咬合溝
６２  流体内蔵部
６４  突部
６６  バリア部
６８  アクチュエータ冷却溝
７０  チップ冷却溝
１００  シャシー
１０２、１０４  シャシー部品
１０６、１０８  アクチュエータ
５０ａ、５０ｂ  アクチュエータ取付面
１１０  ノズル支持材
１１２  ノズルプレート
１１４、１１６  細長アパーチャ
１１８  条片区域
１２０、１２２  ノズル群
６０２、６０４  インキフィルタモジュール
６０６、６０８  プリント基板
６１０  集積回路
６１２  上部カバー
６１４  底カバー
６２０  バックプレート
６２２  冷却液入口および出口
６２６、６２８  インキ入口および出口
６３０  フレキシブルコネクタ
６５０  スナップ嵌合蓋
【図１】
2007524534.tif 000003
【図２】
2007524534.tif 000004
【図３】
2007524534.tif 000005
【図４】
2007524534.tif 000006
【図５】
2007524534.tif 000007
【図６】
2007524534.tif 000008
【図７】
2007524534.tif 000009
【国際調査報告】
2007524534.tif 000010
2007524534.tif 000011
2007524534.tif 000012